(57)【特許請求の範囲】
【請求項１】
対象とするフォルダのフルパス又はその一部を、文字列スクロールにより順次に表示するパス表示装置であって、
前記フルパス又はその一部の表示を、前記対象とするフォルダのフォルダ名の末尾の表示に続けて直上のパス部分を表示するものとしたことを特徴とするパス表示装置。
【請求項２】
前記フルパス又はその一部を構成する各フォルダ名を、前記対象とするフォルダから上の階層に向けて順に並べ、文字列スクロールさせながら前記フルパス又はその一部の表示を行うことを特徴とする請求項１に記載のパス表示装置。
【請求項３】
対象とするフォルダのフルパス又はその一部を、文字列スクロールにより順次に表示するパス表示方法であって、
前記フルパス又はその一部の表示を、前記対象とするフォルダのフォルダ名の末尾の表示に続けて直上のパス部分を表示するものとしたことを特徴とするパス表示方法。
【請求項４】
コンピュータに、対象とするフォルダのフルパス又はその一部を、文字列スクロールにより順次に表示する手順を実行させるパス表示プログラムであって、
前記フルパス又はその一部の表示を、前記対象とするフォルダのフォルダ名の末尾の表示に続けて直上のパス部分を表示するものとしたことを特徴とするパス表示プログラム。
【発明の詳細な説明】
【技術分野】
【０００１】
本発明は、フォルダのフルパス又はその一部を、分割して又はスクロールにより、順次に表示するようにしたパス表示装置、これを用いたファイル再生装置、これに適したパス表示方法及びパス表示プログラムに関する。
【背景技術】
【０００２】
一般に、１ＤＩＮサイズの比較的安価なカーオーディオシステムのように、サイズが限定され、表示器における表示領域が１行程度である場合、同時に表示することができるファイル名やフォルダ名は１つが限度であるといった場合が多い。したがって、フォルダの階層構造全体をそのまま表示することはできない。そこで従来、フォルダのフルパスをスクロールにより順次に表示してゆくことによって、階層構造を認識することができるようにしている。
【０００３】
図６はこのような従来のフルパスの表示方法を示す。フォルダの階層構造は図２のようになっており、図中のフォルダＦ０７が選択されるものとする。この場合、フルパスはフォルダＦ０２、Ｆ０５、及びＦ０７の各フォルダ名を並べ、「／ＭＹ  ＢＥＳＴ／Ｆｕｋｕｙａｍａ  Ｍａｓａｈａｒｕ／Ｂｅｓｔ  Ｃｏｌｌｅｃｔｉｏｎ」として表現される。図６中の６１はフォルダＦ０７が選択された直後の表示状態であり、６２はその１秒後にスクロールを開始したときの表示状態である。６３〜６７はその後のスクロールにより変化してゆく各表示状である。
【０００４】
フォルダＦ０７が選択された直後は表示状態６１のように、フォルダＦ０７のフォルダ名「Ｂｅｓｔ  Ｃｏｌｌｅｃｔｉｏｎ」が表示されている。そして１秒が経過すると、表示状態６２のようにスクロールが開始される。その後、表示状態６３のように、そのフォルダ名の表示が消え去ると、所定の空白を置いてから、表示状態６４のように、最もルート側のフォルダＦ０２のフォルダ名「ＭＹ  ＢＥＳＴ」の表示が現れ、フルパスの表示が開始される。
【０００５】
「ＭＹ  ＢＥＳＴ」の表示に引き続き、表示状態６５のように、その１つ下位のフォルダＦ０５のフォルダ名「Ｆｕｋｕｙａｍａ  Ｍａｓａｈａｒｕ」が現れ、さらに、引き続き、表示状態６６のように、その１つ下位のフォルダＦ０７、つまり選択されたフォルダのフォルダ名の表示が現れる。そして、表示状態６７のように、選択されたフォルダ名「Ｂｅｓｔ  Ｃｏｌｌｅｃｔｉｏｎ」の表示に完全に切り替わった時点で、スクロールが停止し、選択されたフォルダ名についてのフルパスの表示が完了する。
【０００６】
これにより、フォルダＦ０７のフルパス「／ＭＹ  ＢＥＳＴ／Ｆｕｋｕｙａｍａ  Ｍａｓａｈａｒｕ／Ｂｅｓｔ  Ｃｏｌｌｅｃｔｉｏｎ」が、このとおりの文字の順番で、スクロール表示されたことになる。ユーザは、このフルパスのスクロールによる表示を見ることにより、選択したフォルダの階層構造に占める位置を認識することができる。なお、フォルダのフルパスの表示は、該フォルダの選択時に限らず行うことができる。たとえば、ファイルを再生しているときに、ユーザが所定の操作を行ったことに応答し、そのファイルが属するフォルダについて行うことができる。
【０００７】
なお、関連する技術として、特許文献１には、フォルダ名とともに、そのフォルダにおける再生可能な楽曲データの有無や下位フォルダの有無に関する情報を、記号や点滅の有無により表現することによって、限定された表示領域を介して、これらの情報を提供することができるようにしたメディア再生装置が記載されている。
【０００８】
【特許文献１】特開２００４−３０７５９号公報
【発明の開示】
【発明が解決しようとする課題】
【０００９】
しかしながら、図６の従来技術に係るフルパスの表示方法によれば、フルパスの全体をスクロール表示するには一定の時間を要するため、選択中のフォルダの階層構造における位置を認識するためにはその分の時間を必要とするという問題がある。
【００１０】
本発明の目的は、このような従来技術の問題点に鑑み、対象とするフォルダについて、その階層構造における位置や意図するフォルダであるかどうかを、大きさの限られた表示領域を介し、より迅速に認識させることができる技術を提供することにある。
【課題を解決するための手段】
【００１１】
上記目的を達成するための第１の発明は、対象とするフォルダのフルパス又はその一部を、分割して順次に、又はスクロールにより順次に、表示するパス表示装置に関する。そして、フルパス又はその一部の順次の表示を、対象とするフォルダにより近いパス部分が先に判明するように行うことを特徴とする。
【００１２】
ここで、パス表示装置としては、たとえば、ハードディスクにおいて階層構造を形成しているフォルダに格納された楽曲ファイルを再生する装置に設けられたものが該当する。フォルダの概念には、ディレクトリも含まれる。
【００１３】
この構成において、対象とするフォルダのフルパス又はその一部の表示は、フルパス又はその一部を所定単位に分割して順次に、又はスクロールにより順次に表示するが、その際、フルパス又はその一部の順次の表示は、対象とするフォルダにより近いパス部分が先に判明するように行われる。これによれば、フルパス又はその一部のうち、対象とするフォルダに最も近いパス部分が直ちに判明するので、ユーザは対象フォルダの階層構造における位置や該フォルダが意図するものであるかどうかを、より迅速に認識することができる。
【００１４】
第２の発明に係るパス表示装置は、第１発明において、前記フルパス又はその一部を構成する各フォルダ名を、対象とするフォルダに近い方から順に並べ、並びの先頭方向へスクロールさせながら、フルパス又はその一部の順次の表示を行うことを特徴とする。
【００１５】
第３の発明に係るパス表示装置は、第１発明において、前記フルパス又はその一部を構成する各フォルダ名を、対象とするフォルダに近い方から順に１つずつ、所定期間を置いて表示することにより、フルパス又はその一部の順次の表示を行うことを特徴とする。
【００１６】
第４の発明に係るパス表示装置は、第１発明において、前記フルパス又はその一部を構成する各フォルダ名を、対象とするフォルダに近い方から、所定の操作が行われる毎に、順に１つずつ表示することによって、フルパス又はその一部の順次の表示を行うことを特徴とする。
【００１７】
第５の発明に係るパス表示装置は、第１発明において、前記フルパス又はその一部を構成する各フォルダ名を、対象とするフォルダに近い方から、複数行の表示領域において各行に１つずつ、各行間で表示内容を送りながら、順に表示することによって、フルパス又はその一部の順次の表示を行うことを特徴とする。
【００１８】
第６の発明に係るファイル再生装置は、所定の階層構造を形成している複数のフォルダを記憶している記憶媒体と、所定の操作入力が行われる毎に、順次各フォルダを所定の論理に従って選択してゆくことにより、所望のフォルダの検索を可能とするフォルダ検索手段と、選択されたフォルダを対象として、そのフルパス又はその一部の表示を、第１〜第５のいずれかの発明に係るパス表示装置を用いて行う手段と、選択されたフォルダが保持するファイルについての再生を行う再生手段とを具備することを特徴とする。
【００１９】
ここで、記憶媒体としては、たとえばハードディスクや、半導体メモリ、ＣＤ−Ｒ（ＣＤレコーダブル）が該当する。所定の論理としては、たとえば、楽曲ファイルを保持しているフォルダであって、次にフォルダ番号が大きなフォルダを選択する、といった論理が該当する。ファイルとしては、たとえば、ＭＰ３形式や、ＷＭＡ形式のファイルが該当する。
【００２０】
第７の発明に係るパス表示方法は、対象とするフォルダのフルパス又はその一部を、分割して又はスクロールにより順次に表示するパス表示方法に関する。そして、フルパス又はその一部の順次の表示を、対象とするフォルダにより近いパス部分が先に判明するにように行うことを特徴とする。
【００２１】
第８の発明は、コンピュータに、対象とするフォルダのフルパス又はその一部を、分割して又はスクロールにより順次に表示する手順を実行させるパス表示プログラムに関する。そして、フルパス又はその一部の順次の表示は、対象とするフォルダにより近いパス部分が先に判明するように行われることを特徴とする。
【発明の効果】
【００２２】
本発明によれば、対象フォルダについてのフルパス又はその一部の順次の表示を、対象フォルダにより近いパス部分が先に判明するよう行うようにしたため、対象フォルダの階層構造における位置や該フォルダが意図するものであるかどうかを、大きさの限られた表示領域を介し、より迅速に認識させることができる。
【発明を実施するための最良の形態】
【００２３】
図１は本発明の一実施形態に係るディジタルオーディオプレーヤの構成を示すブロック図である。同図に示すように、この装置は、装置各部の制御や各種情報の処理を行う制御部１１、制御部１１によってアクセスされるハードディスク１２、制御部１１の制御により各種情報の表示を行う表示部１３、制御部１１に対してユーザが操作入力を行うための入力部１４、制御部１１からの音声信号を音波に変換して出力する音声出力部１５を備える。
【００２４】
図２はハードディスク１２に格納されているフォルダ及びファイルの階層構造を例示する。図中の「Ｆ０１」〜「Ｆ１０」は各フォルダに付されたフォルダ番号である。以下、フォルダ番号が「Ｆ０１」〜「Ｆ１０」のファイルを、フォルダＦ０１〜フォルダＦ１０という。フォルダＦ０１はルートフォルダである。フォルダＦ０４、Ｆ０５、Ｆ０７、Ｆ０９及びＦ１０には楽曲ファイル２１が格納されているが、他のファイルには楽曲ファイル２１は存在しない。
【００２５】
フォルダＦ０１〜フォルダＦ１０にはそれぞれ、「ＲＯＯＴ」、「ＭＹ  ＢＥＳＴ」、「Ｂｅａｔｌｅｓ」、「Ｂｅｓｔ  Ｃｌｌｅｃｔｉｏｎ」、「Ｆｕｋｕｙａｍａ  Ｍａｓａｈａｒｕ」、「Ａｌｌ  Ｓｏｎｇｓ」、「Ｂｅｓｔ  Ｃｏｌｌｅｃｔｉｏｎ」、「Ｓｕｚｕｋｉ  Ａｍｉ」、「Ｂｅｓｔ  Ｃｏｌｌｅｃｔｉｏｎ」、及び「Ｓｉｎｇｌｅｓ」のフォルダ名が付与されている。
【００２６】
図３は表示部１３におけるフォルダ選択画面の表示例を示す。この表示例ではフォルダＦ０５が選択されている様子が示されている。上から１行目の表示領域３１には、現在選択されているフォルダＦ０５のフォルダ番号「Ｆ０５」が表示されている。２行目の表示領域３２には現在選択されているフォルダＦ０５のフォルダ名「Ｆｕｋｕｙａｍａ  Ｍａｓａｈａｒｕ」が表示されている。
【００２７】
下部の「ＯＫ」が表示されたボタン３３は、現在選択中のフォルダに移動するためのボタンである。「ＥＸＩＴ」が表示されたボタン３４は、フォルダ選択画面から通常の表示画面に戻るためのボタンである。「ＨＯＭＥ」が表示されたボタン３５は、選択中のフォルダをルートフォルダＦ０１へ変更するためのボタンである。
【００２８】
また、このプレーヤには図示していない左ボタン及び右ボタンが設けられており、これらのボタンは、選択中のフォルダを変更するために用いることができる。右ボタンの押下により、選択中のフォルダをフォルダ番号がより大きなフォルダに変更することができるようになっている。左ボタンの押下により、選択中のフォルダをフォルダ番号がより小さなフォルダに変更することができる。ただし、選択中のフォルダとされるのはファイル２１が存在するフォルダであり、ファイル２１が存在しない場合はその次のフォルダが選択中のフォルダとされる。
【００２９】
図４はフォルダ選択画面における、左ボタン及び右ボタンが押下されたときの画面表示の変化を示す。４１はフォルダＦ０５が選択されているときの画面、４２は画面４１の状態において右ボタンが押下された後に表示される画面、４３は画面４１の状態において左ボタンが押下された後に表示される画面である。
【００３０】
フォルダＦ０５の選択中である画面４１の状態において右ボタンが押下されると、プレーヤは選択中のフォルダをフォルダ番号がより大きなフォルダに変更するが、フォルダＦ０６はファイル２１を有していないので無視し、ファイル２１を有する次のフォルダＦ０７を選択する。そして、新たに選択されたフォルダＦ０７に対応するように、表示内容を画面４２のように変更する。すなわち、フォルダ番号の表示を「Ｆ０７」とし、フォルダ名の表示を「Ｂｅｓｔ  Ｃｏｌｌｅｃｔｉｏｎ」とする。
【００３１】
一方、画面４１の状態において左ボタンが押下されると、プレーヤは選択中のフォルダをフォルダ番号がより小さなフォルダに変更するが、フォルダＦ０４はファイル２１を有しているので、フォルダＦ０４を選択する。そして、新たに選択されたフォルダＦ０４に対応するように、表示内容を画面４３のように変更する。すなわち、フォルダ番号の表示を「Ｆ０４」とし、フォルダ名の表示を「Ｂｅｓｔ  Ｃｏｌｌｅｃｔｉｏｎ」とする。
【００３２】
図５はフォルダＦ０５の選択中である画面４１の状態において右ボタンが押下されたことに応答して、フォルダ選択画面の表示を画面４２の状態に変更するときの、表示状態の推移を示す。図中の５１は右ボタンが押下された直後の表示領域３２の表示状態である。５２は右ボタンの押下から１秒経過後の表示領域３２の表示状態、５３〜５７はその後の時間経過に伴い、順次変化してゆく表示領域３２の表示状態を示す。
【００３３】
右ボタンが押下されると上述のようにフォルダＦ０７を選択するので、右ボタンの押下直後、表示状態５１のように、表示領域３２の表示は、フォルダＦ０７のフォルダ名「Ｂｅｓｔ  Ｃｏｌｌｅｃｔｉｏｎ」に変更する。この後、１秒が経過すると、表示状態５２のように、フォルダ名「Ｂｅｓｔ  Ｃｏｌｌｅｃｔｉｏｎ」の左方向へのスクロールを開始する。その後、表示状態５３のように、該フォルダ名が表示領域３２から消失し、該フォルダ名のスクロールを完了すると、フォルダＦ０７について、フルパスの表示を開始する。
【００３４】
ただし、フルパスの表示は、フォルダＦ０７に近い方のパス部分から行う。すなわちまず、表示状態５４のように、所定長さの空白を置いた後、フォルダＦ０７の１つ上位の階層のフォルダＦ０５のフォルダ名「Ｆｕｋｕｙａｍａ  Ｍａｓａｈａｒｕ」のスクロール表示を開始する。この後、表示状態５５のように、該フォルダ名全体が表示される状態に至ると、表示状態５６のように、次の上位階層のフォルダＦ０２のフォルダ名「ＭＹ  ＢＥＳＴ」のスクロール表示を続けて行う。さらに、続けてフォルダＦ０７のフォルダ名「Ｂｅｓｔ  Ｃｏｌｌｅｃｔｉｏｎ」のスクロール表示を行う。そして、表示状態５７のように、このフォルダ名の全体が表示される状態に至ると、スクロールを停止する。これによりフルパスの表示が完了し、画面４２への変更も完了する。
【００３５】
本実施形態によれば、選択されたフォルダについてのフルパスの表示を、パスを構成する各フォルダ名を、選択されたフォルダに近い方から順に並べ、並びの先頭方向へスクロールさせながら行うようにしているので、選択中のフォルダがどのようなフォルダであるかをより早く認識することができる。
【００３６】
すなわち、図２の階層構造例の場合、対象とするフォルダＦ０７のフォルダ名「Ｂｅｓｔ  Ｃｏｌｌｅｃｔｉｏｎ」と同一のフォルダ名を有するフォルダとしては、他にフォルダＦ０４及びＦ０９が存在する。この場合、選択中のフォルダについては、どのフォルダの下位に位置するかの情報が重要となる。つまり、フルパス上に存在する最上位のフォルダＦ０２のフォルダ名「ＭＹ  ＢＥＳＴ」は重要ではなく、選択中のフォルダに最も近い直上のフォルダのフォルダ名を最も先に知りたい場合が多い。対象フォルダが「ＭＹ  ＢＥＳＴ」の下位に位置することを知らなくても、「Ｂｅａｔｌｅｓ」、「Ｆｕｋｕｙａｍａ  Ｍａｓａｈａｒｕ」又は「Ｓｕｚｕｋｉ  Ａｍｉ」のうちのいずれの下位に位置するかを知れば事足りる。したがって、「ＭＹ  ＢＥＳＴ」を表示することは無駄である場合が多く、ファイルの検索効率にも悪影響を与えるおそれがある。
【００３７】
しかも、データ圧縮技術が進んでいなかった従来は１枚のＣＤ−Ｒに数十曲しか記録することができなかったが、データ圧縮技術が進み、かつディスクやメモリ等の記憶容量も飛躍的に向上した今日では、フォルダの階層が従来よりも深く、複雑になってきており、検索効率の良否はより重要なポイントとなってきている。
【００３８】
この点、本実施形態によれば、選択中のフォルダに最も近いパス部分である直上のフォルダ名が直ちに判明するので、上位階層のパス部分の表示を待つことなく、ユーザは直ちに選択したフォルダが所望のものであるかどうか等を判断し、必要に応じて、次のフォルダに移行する等の操作に移ることができる。また、選択中のフォルダの階層が深く、直上のフォルダ名が判明しても選択中のフォルダを特定することができない場合には、より上位階層のフォルダ名が表示されるのを待っていればよく、選択中のフォルダが特定できた時点で次の操作に移ることができる。
【００３９】
なお、本発明は上述実施形態に限定されることなく、適宜変形して実施することができる。たとえば、上述においては、フルパスの各部分をスクロールにより順次表示してゆくようにしているが、この代わりに、フルパスを、たとえばフォルダ名毎に分割し、各分割部分を、対象とするフォルダに近い方から順次、所定時間間隔で表示してゆくようにしてもよい。
【００４０】
また、フルパスを構成する各フォルダ名を、選択中のフォルダに近い方から、所定の操作が行われる毎に、順に１つずつ表示することによって、フルパスの順次の表示を行うようにしてもよい。
【００４１】
また、上述においては、フルパスの表示領域３２は１行であるが、これに限定されることはなく、たとえば、図７に示すように、２行であってもよい。この場合、たとえば上の行に現在選択されているフォルダのフォルダ名「Ｂｅｓｔ  Ｃｏｌｌｅｃｔｉｏｎ」を表示し、下の行に１つ上位の階層のフォルダのフォルダ名「Ｆｕｋｕｙａｍａ  Ｍａｓａｈａｒｕ」を表示する。そして、所定期間後、各行においてそれぞれ、１つ上位のフォルダ名「Ｆｕｋｕｙａｍａ  Ｍａｓａｈａｒｕ」及び「ＭＹ  ＢＥＳＴ」を表示する。つまりフルパスを構成する各フォルダ名を、選択中のフォルダに近い方から、２行の表示領域において各行に１つずつ、各行間で表示内容を送りながら、順に表示することによって、フルパスの順次の表示を行うことができる。
【図面の簡単な説明】
【００４２】
【図１】本発明の一実施形態に係るディジタルオーディオプレーヤの構成を示すブロック図である。
【図２】図１のプレーヤにおけるハードディスクに格納されているフォルダ及びファイルの階層構造を例示する図である。
【図３】図１のプレーヤの表示部における、フォルダ選択画面の表示例を示す図である。
【図４】図１のプレーヤのフォルダ選択画面における、左ボタン及び右ボタンが押下されたときの画面表示の変化を示す。
【図５】図１のプレーヤのフォルダ選択画面における、表示状態の推移を示す図である。
【図６】従来のフルパスの表示方法を示す図である。
【図７】本発明の変形例に係る表示領域における表示状態を示す図である。
【符号の説明】
【００４３】
１１：制御部、１２：ハードディスク、１３：表示部、１４：入力部、１５：音声出力部、２１：ファイル、３１，３２：表示領域、３３〜３５：ボタン、４１〜４３：画面、５１〜５７：表示状態、６１〜６７：表示状態、
【図１】
0004588615.tif 000002
【図２】
0004588615.tif 000003
【図３】
0004588615.tif 000004
【図４】
0004588615.tif 000005
【図５】
0004588615.tif 000006
【図６】
0004588615.tif 000007
【図７】
0004588615.tif 000008